(57)【特許請求の範囲】
【請求項１】
ＡＭスクリーニング方式の印刷機により印刷された印刷物における網点部分を測定して得た網点面積率Ａから入力網点面積率ＡＩＮＰＵＴを減算することにより、機械的ドットゲインと光学的ドットゲインからなる総ドットゲインを取得する総ドットゲイン取得手段と、
前記網点部分を撮像して得た画像を取得する画像取得手段と、
前記画像を二値化画像に変換し、当該二値化画像における網点面積率ＡＭＯＮＯから入力網点面積率ＡＩＮＰＵＴを減算することにより、前記機械的ドットゲインを取得する機械的ドットゲイン取得手段と、
前記総ドットゲインから前記機械的ドットゲインを減算することにより、前記光学的ドットゲインを取得する光学的ドットゲイン取得手段と、
を備えることを特徴とするドットゲイン算出装置。
【請求項２】
ＡＭスクリーニング方式の印刷機により印刷された印刷物における網点部分を測定して得た網点面積率Ａを取得する第１網点面積率取得手段と、
前記網点部分を撮像して得た画像を取得する画像取得手段と、
前記画像を二値化画像に変換し、当該二値化画像における網点面積率ＡＭＯＮＯを取得する第２網点面積率取得手段と、
前記第１網点面積率取得手段が取得した網点面積率Ａから、前記第２網点面積率算出手段が取得した網点面積率ＡＭＯＮＯを減算することにより、光学的ドットゲインを取得する光学的ドットゲイン取得手段と、
を備えることを特徴とするドットゲイン算出装置。
【請求項３】
請求項１又は２に記載のドットゲイン算出装置であって、
前記網点面積率Ａは、前記網点部分を反射濃度計又は分光測色計を用いて測定することにより得られることを特徴とするドットゲイン算出装置。
【請求項４】
ドットゲイン算出装置が行うドットゲイン算出方法であって、
ＡＭスクリーニング方式の印刷機により印刷された印刷物における網点部分を測定して得た網点面積率Ａから入力網点面積率ＡＩＮＰＵＴを減算することにより、機械的ドットゲインと光学的ドットゲインからなる総ドットゲインを取得する総ドットゲイン取得工程と、
前記網点部分を撮像して得た画像を取得する画像取得工程と、
前記画像を二値化画像に変換し、当該二値化画像における網点面積率ＡＭＯＮＯから入力網点面積率ＡＩＮＰＵＴを減算することにより、前記機械的ドットゲインを取得する機械的ドットゲイン取得工程と、
前記総ドットゲインから前記機械的ドットゲインを減算することにより、前記光学的ドットゲインを取得する光学的ドットゲイン取得工程と、
を含むことを特徴とするドットゲイン算出方法。
【請求項５】
ドットゲイン算出装置が行うドットゲイン算出方法であって、
ＡＭスクリーニング方式の印刷機により印刷された印刷物における網点部分を測定して得た網点面積率Ａを取得する第１網点面積率取得工程と、
前記網点部分を撮像して得た画像を取得する画像取得工程と、
前記画像を二値化画像に変換し、当該二値化画像における網点面積率ＡＭＯＮＯを取得する第２網点面積率取得工程と、
前記第１網点面積率取得工程により取得した網点面積率Ａから、前記第２網点面積率算出工程により取得した網点面積率ＡＭＯＮＯを減算することにより、光学的ドットゲインを取得する光学的ドットゲイン取得工程と、
を含むことを特徴とするドットゲイン算出方法。
【請求項６】
コンピュータを、
ＡＭスクリーニング方式の印刷機により印刷された印刷物における網点部分を測定して得た網点面積率Ａから入力網点面積率ＡＩＮＰＵＴを減算することにより、機械的ドットゲインと光学的ドットゲインからなる総ドットゲインを取得する総ドットゲイン取得手段、
前記網点部分を撮像して得た画像を取得する画像取得手段、
前記画像を二値化画像に変換し、当該二値化画像における網点面積率ＡＭＯＮＯから入力網点面積率ＡＩＮＰＵＴを減算することにより、前記機械的ドットゲインを取得する機械的ドットゲイン取得手段、
前記総ドットゲインから前記機械的ドットゲインを減算することにより、前記光学的ドットゲインを取得する光学的ドットゲイン取得手段、
として機能させることを特徴とするドットゲイン算出プログラム。
【請求項７】
コンピュータを、
ＡＭスクリーニング方式の印刷機により印刷された印刷物における網点部分を測定して得た網点面積率Ａを取得する第１網点面積率取得手段、
前記網点部分を撮像して得た画像を取得する画像取得手段、
前記画像を二値化画像に変換し、当該二値化画像における網点面積率ＡＭＯＮＯを取得する第２網点面積率取得手段、
前記第１網点面積率取得手段が取得した網点面積率Ａから、前記第２網点面積率算出手段が取得した網点面積率ＡＭＯＮＯを減算することにより、光学的ドットゲインを取得する光学的ドットゲイン取得手段、
として機能させることを特徴とするドットゲイン算出プログラム。
【発明の詳細な説明】
【技術分野】
【０００１】
本発明は、印刷技術に用いられる網点による階調再現で見られるドットゲインの算出に関する。
【背景技術】
【０００２】
ドットゲインとは、オフセット印刷または他の印刷方式で、データで入力した網点面積率よりも印刷物を測定して得られる網点面積率が大きくなる現象のことである。これは、見た目においても実際に濃くなっているように見える。ドットゲインには、機械的ドットゲインと光学的ドットゲインの２つがある。
【０００３】
機械的ドットゲインは、刷版からブランケット、ブランケットから印刷用紙にインクを転写する際にかかる圧力でインクが潰されることで印刷物の網点が刷版の網点より大きくなる現象である。図１は機械的ドットゲインＭＤを表す図であり、図１（Ａ）及び図１（Ｂ）は印刷用紙Ｐの断面図である。図１（Ａ）ではインクＩが潰されずに印刷用紙Ｐに転写されたと仮定した場合の網点を示しており、図１（Ｂ）ではインクＩが潰されて転写された場合の網点を示している。このように、インキＩが潰されて転写されることにより、印刷用紙Ｐを転写面側から観察すると機械的ドットゲインＭＤ分だけインキＩが大きく見えることにより、網点面積率が入力された網点面積率より高くなる。
【０００４】
一方、光学的ドットゲインは、目視または測定時に印刷用紙Ｐの上又は内部で光が散乱することで生じ、印刷された網点がより大きく見える現象である。図２は光学的ドットゲインＯＤを表す図であって、図２（Ａ）は印刷用紙Ｐの断面図であり、図２（Ｂ）は印刷用紙Ｐを転写面側から見た図である。図２（Ａ）ではインクＩが潰さて転写された場合の網点を示しており、図２（Ｂ）ではインクＩの縁から外側にインクＩが広がって見える様子を示している。このように、印刷用紙Ｐの上又は内部で光が散乱することにより、光学的ドットゲインＯＤの分だけインキＩが大きく見える。
【０００５】
従来、ドットゲインの測定においては反射濃度計が用いられる。反射濃度計の測定原理は、測定器側の光源から測定対象の網点へ光を照射し、その反射光を測定器内のカラーフィルタを通して測定するというものである。ドットゲインを得る手順としては、（１）網点部の濃度測定、（２）網点濃度から網点面積率への換算、（３）得られた網点面積率とデータ上の網点面積率の差からのドットゲインの算出、という流れになる。このように得られたドットゲインは、光学的ドットゲインと機械的ドットゲインから構成される（以下、反射濃度計で得られるドットゲインを「総ドットゲイン」と呼び、「総ドットゲイン」は光学的ドットゲインと機械的ドットゲインの和で表すことができる）。
【０００６】
ここで、印刷に使用するインク量の削減について考えると、光学的ドットゲインはインク量を増やさずに網点を大きく見せることができることから、総ドットゲインのうち光学的ドットゲインの割合を高めることによりインク量を削減することができる。そこで、インク量を削減するために、光学的ドットゲインを算出することが求められる。
【０００７】
特許文献１には、光学的ドットゲインの発生量が網点の周囲長で決まるという特徴を用いて総ドットゲインを光学的ドットゲインと機械的ドットゲインに分離する方法が開示されている。具体的には、測定対象の網点に対して単位面積当たりの周囲長が同一で、かつ機械的ドットゲインを無視できるほどに小さい網点で構成される比較対象の網点を用意し、それぞれの反射濃度の測定値からドットゲインを算出して対比することにより、対象網点の機械的ドットゲインを推定するというものである。
【先行技術文献】
【特許文献】
【０００８】
【特許文献１】特開２００４−６９４５１号公報
【発明の概要】
【発明が解決しようとする課題】
【０００９】
しかしながら、特許文献１に記載の技術では、測定の度に比較対象の網点を用意する必要があるという問題がある。
【００１０】
本発明は、このような問題に鑑みて為されたもので、測定の度に比較対象の網点を用意する必要がなく、簡易に光学的ドットゲインを算出することができるドットゲイン算出装置等を提供することを課題とする。
【課題を解決するための手段】
【００１１】
上記課題を解決するために、請求項１に記載の発明は、ＡＭスクリーニング方式の印刷機により印刷された印刷物における網点部分を測定して得た網点面積率Ａから入力網点面積率ＡＩＮＰＵＴを減算することにより、機械的ドットゲインと光学的ドットゲインからなる総ドットゲインを取得する総ドットゲイン取得手段と、前記網点部分を撮像して得た画像を取得する画像取得手段と、前記画像を二値化画像に変換し、当該二値化画像における網点面積率ＡＭＯＮＯから入力網点面積率ＡＩＮＰＵＴを減算することにより、前記機械的ドットゲインを取得する機械的ドットゲイン取得手段と、前記総ドットゲインから前記機械的ドットゲインを減算することにより、前記光学的ドットゲインを取得する光学的ドットゲイン取得手段と、を備えることを特徴とする。
【００１２】
なお、ＡＭ（Amplitude Modulated）スクリーニング方式とは、網点の大きさを変化させることにより階調を再現するスクリーニング方式のことである。
【００１３】
また、請求項２に記載の発明は、ＡＭスクリーニング方式の印刷機により印刷された印刷物における網点部分を測定して得た網点面積率Ａを取得する第１網点面積率取得手段と、前記網点部分を撮像して得た画像を取得する画像取得手段と、前記画像を二値化画像に変換し、当該二値化画像における網点面積率ＡＭＯＮＯを取得する第２網点面積率取得手段と、前記第１網点面積率取得手段が取得した網点面積率Ａから、前記第２網点面積率算出手段が算出した網点面積率ＡＭＯＮＯを減算することにより、光学的ドットゲインを取得する光学的ドットゲイン算出手段と、を備えることを特徴とする。
【００１４】
更に、請求項３に記載の発明は、請求項１又は２に記載のドットゲイン算出装置であって、前記網点面積率Ａが、前記網点部分を反射濃度計又は分光測色計を用いて測定することにより得られることを特徴とする。なお、反射濃度計を用いることにより、直接、網点面積率Ａを測定することができる。一方、分光測色計を用いる場合、分光測色計が測定したスペクトルを、当該スペクトルに基づいてシミュレーションすることにより網点面積率を算出するプログラムがインストールされた装置に入力することにより、網点面積率Ａを取得することができる。
【００１５】
更にまた、請求項４に記載の発明は、ドットゲイン算出装置が行うドットゲイン算出方法であって、ＡＭスクリーニング方式の印刷機により印刷された印刷物における網点部分を測定して得た網点面積率Ａから入力網点面積率ＡＩＮＰＵＴを減算することにより、機械的ドットゲインと光学的ドットゲインからなる総ドットゲインを取得する総ドットゲイン取得工程と、前記網点部分を撮像して得た画像を取得する画像取得工程と、前記画像を二値化画像に変換し、当該二値化画像における網点面積率ＡＭＯＮＯから入力網点面積率ＡＩＮＰＵＴを減算することにより、前記機械的ドットゲインを取得する機械的ドットゲイン取得工程と、前記総ドットゲインから前記機械的ドットゲインを減算することにより、前記光学的ドットゲインを取得する光学的ドットゲイン取得工程と、を含むことを特徴とする。
【００１６】
更にまた、請求項５に記載の発明は、ドットゲイン算出装置が行うドットゲイン算出方法であって、ＡＭスクリーニング方式の印刷機により印刷された印刷物における網点部分を測定して得た網点面積率Ａを取得する第１網点面積率取得工程と、前記網点部分を撮像して得た画像を取得する画像取得工程と、前記画像を二値化画像に変換し、当該二値化画像における網点面積率ＡＭＯＮＯを取得する第２網点面積率取得工程と、前記第１網点面積率取得工程により取得した網点面積率Ａから、前記第２網点面積率算出工程により取得した網点面積率ＡＭＯＮＯを減算することにより、光学的ドットゲインを取得する光学的ドットゲイン取得工程と、を含むことを特徴とする。
【００１７】
更にまた、請求項６に記載の発明は、コンピュータを、ＡＭスクリーニング方式の印刷機により印刷された印刷物における網点部分を測定して得た網点面積率Ａから入力網点面積率ＡＩＮＰＵＴを減算することにより、機械的ドットゲインと光学的ドットゲインからなる総ドットゲインを取得する総ドットゲイン取得手段、前記網点部分を撮像して得た画像を取得する画像取得手段、前記画像を二値化画像に変換し、当該二値化画像における網点面積率ＡＭＯＮＯから入力網点面積率ＡＩＮＰＵＴを減算することにより、前記機械的ドットゲインを取得する機械的ドットゲイン取得手段、前記総ドットゲインから前記機械的ドットゲインを減算することにより、前記光学的ドットゲインを取得する光学的ドットゲイン取得手段、として機能させることを特徴とする。
【００１８】
更にまた、請求項７に記載の発明は、コンピュータを、ＡＭスクリーニング方式の印刷機により印刷された印刷物における網点部分を測定して得た網点面積率Ａを取得する第１網点面積率取得手段、前記網点部分を撮像して得た画像を取得する画像取得手段、前記画像を二値化画像に変換し、当該二値化画像における網点面積率ＡＭＯＮＯを取得する第２網点面積率取得手段、前記第１網点面積率取得手段が取得した網点面積率Ａから、前記第２網点面積率算出手段が取得した網点面積率ＡＭＯＮＯを減算することにより、光学的ドットゲインを取得する光学的ドットゲイン取得手段、として機能させることを特徴とする。
【発明の効果】
【００１９】
本発明によれば、網点部分を測定した得た網点面積率Ａ（入力網点面積率ＡＩＮＰＵＴに対して機械的ドットゲイン及び光学的ドットゲインの分だけ高い網点面積率）と、網点部分を撮像して得た画像を変換した二値化画像（光学的ドットゲインの影響を除去した画像）における網点面積率ＡＭＯＮＯ（入力網点面積率ＡＩＮＰＵＴに対して機械的ドットゲインの分だけ高い網点面積率）とに基づいて、光学的ドットゲインを算出することができる。
【図面の簡単な説明】
【００２０】
【図１】（Ａ）、（Ｂ）は機械的ドットゲインを説明するための印刷用紙Ｐの断面図である。
【図２】（Ａ）は光学的ドットゲインを説明するための印刷用紙Ｐの断面図であり、（Ｂ）は印刷用紙Ｐを上方から見た図である。
【図３】本実施形態におけるドットゲイン算出装置１の構成の一例を示す模式図である。
【図４】網点部分を撮影した画像を二値化画像に変換した一例を示す図である。
【図５】本実施形態における制御部１１によるドットゲイン算出処理の一例を示すフローチャートである。
【発明を実施するための形態】
【００２１】
以下、図面を参照して本発明の実施形態について説明する。なお、以下に説明する実施の形態は、入力された網点面積率（「入力網点面積率」という）でオフセット印刷機が印刷用紙に印刷を行った網点部分のドットゲインを算出するドットゲイン算出装置に対して本発明を適用した場合の実施形態である。網点部分とは、例えば、印刷用紙の端の部分に印刷されるカラーパッチなどである。なお、本実施形態ではオフセット印刷機が印刷した網点部分をドットゲイン算出の対象とするが、ＡＭスクリーニング方式の印刷機であれば他の印刷機が印刷した網点部分についても本実施形態に示す手法によりドットゲインを算出することができる
【００２２】
［１．ドットゲイン算出装置の構成］
次に、図３を用いて、ドットゲイン算出装置１の構成について説明する。ドットゲイン算出装置１は、制御部１１と、記憶部１２と、通信部１３と、表示部１４と、操作部１５とを備えている。
【００２３】
記憶部１２は、例えば、ハードディスクドライブ等により構成されており、オペレーティングシステムや、機械的ドットゲイン及び光学的ドットゲインを算出するためのプログラム等の各種プログラムを記憶する。なお、各種プログラムは、例えば、他のサーバ装置等からネットワークを介して取得されるようにしても良いし、記録媒体に記録されてドライブ装置を介して読み込まれるようにしても良い。
【００２４】
通信部１３は、反射濃度計７０１やカメラ７０２等との通信を制御するようになっている。反射濃度計７０１は、オフセット印刷機が印刷用紙に印刷を行った網点部分の網点面積率を測定する。測定された網点面積率はドットゲイン算出装置１に入力される。なお、本実施形態では、反射濃度計７０１を用いて網点面積率を測定することとしたが、分光測色計を用いてスペクトルを測定し、ドットゲイン算出装置１が当該スペクトルからシミュレーションにより網点面積率を算出することとしてもよい。一方、カメラ７０２は例えば拡大光学系を備えた数十倍オーダーの拡大が可能なデジタルカメラであって、オフセット印刷機が印刷を行った網点部分を撮影する。撮影された画像（本実施形態ではグレースケール画像）を表す画像データはドットゲイン算出装置１に入力される。
【００２５】
表示部１４は、例えば、液晶ディスプレイ等により構成されており、文字や画像等の情報を表示するようになっている。操作部１５は、例えば、キーボード、マウス等により構成されており、オペレータからの操作指示を受け付け、その指示内容を指示信号として制御部１１に出力するようになっている。
【００２６】
制御部１１は、ＣＰＵ（Central Processing Unit）、ＲＯＭ（Read Only Memory）、ＲＡＭ（Random Access Memory）等により構成されている。そして、ＣＰＵが、ＲＯＭや記憶部１２に記憶された各種プログラムを読み出し実行することにより各種機能を実現する。
【００２７】
特に、制御部１１は、反射濃度計が測定した網点面積率Ａからオフセット印刷機に入力された網点面積率ＡＩＮＰＵＴを減算することにより総ドットゲインＤを算出する。
【００２８】
また、制御部１１は、カメラ７０２が網点部分を撮影することにより作成した画像データにより表されるグレースケール画像について二値化処理し、二値化画像を作成する。例えば、グレースケール画像の濃淡が「０」〜「２５５」の濃度値で示される場合、「１２８」を閾値として二値化処理したり、濃度ヒストグラムを作成し、濃度値の累積分布が全体の５０％となる濃度値を閾値として二値化処理したりすることができる。
【００２９】
図４は、網点部分を撮影して得たグレースケール画像を二値化処理によって二値化画像に変換した一例を示す図である。但し、図４では、説明の簡略のため、一つの網点を拡大した様子を示している。グレースケール画像（図４（Ａ））では光学的ドットゲインにより大きく見える部分ＯＤが、二値化画像（図４（Ｂ））では切り落とされる。なお、二値化画像における網点面積率は機械的ドットゲインの影響より入力網点面積率より大きくなっている（但し、光学的ドットゲインの影響によっては大きくなっていない）。また、カメラ７０２はオフセット印刷機が印刷した網点部分を撮影することから実際のグレースケール画像には複数の網点が含まれるが、二値化画像では、光学的ドットゲインの影響を省いた、すなわち、機械的ドットゲインの影響のみを受けた複数の網点が含まれることとなる。
【００３０】
制御部１１は、二値化画像を作成すると、網点面積率ＡＭＯＮＯを算出する。そして、制御部１１は、下記（１）式に従って光学的ドットゲインを算出する。
【００３１】
ＤＯ＝Ｄ−ＤＭ＝（Ａ−ＡＩＮＰＵＴ）−（ＡＭＯＮＯ−ＡＩＮＰＵＴ）＝Ａ−ＡＭＯＮＯ          （１）
Ｄ：総ドットゲイン
ＤＯ：光学的ドットゲイン
ＤＭ：機械的ドットゲイン
Ａ：網点面積率（反射濃度計７０１により測定される）
ＡＩＮＰＵＴ：入力網点面積率
ＡＭＯＮＯ：二値化画像から算出した網点面積率
【００３２】
［２．制御部１１によるドットゲイン算出処理］
次に、図５を用いて、制御部１１によるドットゲイン算出処理について説明する。なお、ドットゲイン算出処理が実行される前までに、反射濃度計７０１が印刷物の網点部分を測定して得た網点面積率Ａと、オフセット印刷機で印刷するために入力された入力網点面積率ＡＩＮＰＵＴと、カメラ７０２が印刷物の網点部分を撮影して得たグレースケール画像が記憶部１２に記録されているものとする。
【００３３】
まず、ドットゲイン算出装置１の制御部１１は、記憶部１２が記憶する網点面積率Ａから記憶部１２が記憶する入力網点面積率ＡＩＮＰＵＴを減算することにより、総ドットゲインＤを取得する（ステップＳ１０１）。
【００３４】
次に、制御部１１は、記憶部１２が記憶するグレースケール画像を二値化処理して、二値化画像を作成する（ステップＳ１０２）。
【００３５】
次に、制御部１１は、ステップＳ１０２の処理で作成した二値化画像の網点面積率ＡＭＯＮＯを取得する（ステップＳ１０３）。なお、画像における網点面積率を取得する手法は従来公知の手法による。
【００３６】
次に、制御部１１は、ステップＳ１０３の処理で取得したＡＭＯＮＯから記憶部１２が記憶する入力網点面積率ＡＩＮＰＵＴを減算することにより、機械的ドットゲインＤＭを取得する（ステップＳ１０４）。
【００３７】
次に、制御部１１は、ステップＳ１０１の処理で取得した総ドットゲインＤからステップＳ１０４の処理で取得した機械的ドットゲインＤＭを減算することにより、光学的ドットゲインＤＯを取得し（ステップＳ１０５）、ドットゲイン算出処理を終了する。
【００３８】
以上説明したように、本実施形態のドットゲイン算出装置１の制御部１１（「総ドットゲイン取得手段」、「画像取得手段」、「機械的ドットゲイン取得手段」、「光学的ドットゲイン取得手段」の一例）は、オフセット印刷機（「ＡＭスクリーニング方式の印刷機」の一例）により印刷された印刷物における網点部分を測定して得た網点面積率Ａから入力網点面積率ＡＩＮＰＵＴを減算することにより、機械的ドットゲインＤＭと光学的ドットゲインＤＯからなる総ドットゲインＤを取得し、網点部分を撮像して得たグレースケール画像を取得して、当該画像を二値化処理することにより二値化画像に変換し、当該二値化画像における網点面積率ＡＭＯＮＯから入力網点面積率ＡＩＮＰＵＴを減算することにより、機械的ドットゲインＤＭを取得し、総ドットゲインＤから機械的ドットゲインＤＭを減算することにより、光学的ドットゲインＤＯを取得する。
【００３９】
したがって、本実施形態のドットゲイン算出装置１によれば、網点部分を測定した得た網点面積率Ａ（入力網点面積率ＡＩＮＰＵＴに対して機械的ドットゲインＤＭ及び光学的ドットゲインＤＯの分だけ高い網点面積率）と、網点部分を撮像して得たグレースケール画像を変換した二値化画像（光学的ドットゲインＤＯの影響を除去した画像）における網点面積率ＡＭＯＮＯ（入力網点面積率ＡＩＮＰＵＴに対して機械的ドットゲインＤＭの分だけ高い網点面積率）とに基づいて、光学的ドットゲインＤＯを算出することができる。
【００４０】
なお、図５に示したドットゲイン算出処理は、上記（１）式の「ＤＯ＝Ｄ−ＤＭ＝（Ａ−ＡＩＮＰＵＴ）−（ＡＭＯＮＯ−ＡＩＮＰＵＴ）」に基づいて、光学的ドットゲインＤＯを算出しているが、これに代えて、上記（１）式の「ＤＯ＝Ａ−ＡＭＯＮＯ」に基づいて光学的ドットゲインＤＯを算出することとしてもよい。すなわち、制御部１１（「第１網点面積率取得手段」、「画像取得手段」、「第２網点面積率取得手段」、「光学的ドットゲイン取得手段」の一例）は、図５のステップＳ１０２及びステップＳ１０３の処理を行うことによりＡＭＯＮＯを取得し、取得したＡＭＯＮＯを、記憶部１２が記憶する網点面積率Ａから減算することにより光学的ドットゲインＤＯを算出する。これにより、ステップＳ１０１、ステップＳ１０４及びステップＳ１０５の処理を省略することができ、制御部１１の処理負担が軽減される。
【符号の説明】
【００４１】
１  ドットゲイン算出装置
１１  制御部
１２  記憶部
１３  通信部
１４  表示部
１５  操作部
７０１  反射濃度計
７０２  カメラ
【図１】
0006648628.tif 000002
【図２】
0006648628.tif 000003
【図３】
0006648628.tif 000004
【図４】
0006648628.tif 000005
【図５】
0006648628.tif 000006